(57)【要約】【課題】表面に離型剤等が塗布されたり、表面にコーティングが施されたりした新品のカードに磁気データを記録してカードを発行する場合であっても、磁気データの記録精度を確保することが可能なカード発行装置を提供する。【解決手段】磁気ストライプが形成されたカード２を発行するカード発行装置は、カード２が積層されて収容されるカード収容部と、カード収容部から送り出されたカード２に磁気データを記録するための磁気ヘッド１０を有するカードリーダ５と、カード２を発行するときのカード２の搬送経路におけるカード収容部と磁気ヘッド１０との間に配置され、カード２の発行時に、カード２の表面の、少なくとも磁気ストライプが形成された部分に接触する接触部材１５とを備えている。接触部材１５は、カード２の表面を平滑にする機能とカード２の表面に潤滑性を与える機能との少なくともいずれか１つの機能を備えている。【選択図】図２
2015149033.tif 000002
【特許請求の範囲】
【請求項１】
磁気ストライプが形成されたカードを発行するカード発行装置において、
発行前の前記カードが積層されて収容されるカード収容部と、前記カード収容部から送り出された前記カードに磁気データを記録するための磁気ヘッドを有するカードリーダと、前記カードを発行するときの前記カードの搬送経路における前記カード収容部と前記磁気ヘッドとの間に配置され、前記カードの発行時に、前記カードの表面の、少なくとも前記磁気ストライプが形成された部分に接触する接触部材とを備えるとともに、
前記接触部材として、前記カードの表面を平滑にするための平滑化部材、および、前記カードの表面に潤滑性を与えるための潤滑剤が含まれる潤滑剤含有部材の少なくともいずれか一方を備えることを特徴とするカード発行装置。
【請求項２】
磁気ストライプが形成されたカードを発行するカード発行装置において、
発行前の前記カードが積層されて収容されるカード収容部と、前記カード収容部から送り出された前記カードに磁気データを記録するための磁気ヘッドを有するカードリーダと、前記カードを発行するときの前記カードの搬送経路における前記カード収容部と前記磁気ヘッドとの間に配置され、前記カードの発行時に、前記カードの表面の、少なくとも前記磁気ストライプが形成された部分に接触する接触部材とを備え、
前記接触部材は、前記カードの表面を平滑にする機能と、前記カードの表面に潤滑性を与える機能との少なくともいずれか１つの機能を備えていることを特徴とするカード発行装置。
【請求項３】
前記接触部材を前記カードに向かって付勢する付勢部材を備えることを特徴とする請求項１または２記載のカード発行装置。
【請求項４】
前記カードの厚さ方向において前記接触部材に対向配置されるとともに前記接触部材に向かって付勢されるパッドローラを備え、
前記接触部材と前記パッドローラとの間を前記カードが通過することを特徴とする請求項１から３のいずれかに記載のカード発行装置。
【請求項５】
前記カードは、略長方形状に形成され、
前記磁気ストライプは、略長方形状に形成される前記カードの長手方向に沿う帯状に形成され、
前記接触部材は、前記カードの厚さ方向と前記カードの長手方向とに直交する前記カードの短手方向において、前記磁気ストライプが通過する範囲に配置されていることを特徴とする請求項１から４のいずれかに記載のカード発行装置。
【請求項６】
前記接触部材は、前記カードリーダに取り付けられていることを特徴とする請求項１から５のいずれかに記載のカード発行装置。
【発明の詳細な説明】
【技術分野】
【０００１】
本発明は、内部に収容されたカードを発行するカード発行装置に関する。
【背景技術】
【０００２】
従来、内部に収容されたカードを発行するカード発行装置が知られている（たとえば、特許文献１参照）。特許文献１に記載のカード発行装置は、発行前の新品のカードが収容されるカードスタック部と、カードスタック部から送り出されたカードに磁気データを記録するための磁気ヘッドを有するカードリーダと、カードスタック部からカードリーダへカードを搬送するカード搬送部とを備えている。このカード発行装置では、カードスタック部は、カードが積層されて収容されるカセットと、カセットが収容されるカセットホルダとを備えている。カセットホルダは、カセットに収容された複数枚のカードのうちの一番下に配置されるカードを１枚ずつカード搬送部へ繰り出すカード繰出機構を備えている。
【０００３】
特許文献１に記載のカード発行装置では、カード発行時に、まず、カード繰出機構によってカセットから１枚のカードが繰り出される。カード繰出機構によって繰り出されたカードは、カード搬送部によってカードリーダまで搬送されて、カードリーダに取り込まれる。また、カードリーダで磁気データの記録が行われて、カードリーダからカードが排出されると、カードの発行が完了する。
【先行技術文献】
【特許文献】
【０００４】
【特許文献１】特開２００７−４１６３５号公報
【発明の概要】
【発明が解決しようとする課題】
【０００５】
特許文献１に記載のカード発行装置において、カセットに積層されているカード同士が離れにくくなっていると、カセットに収容された複数枚のカードのうちの一番下に配置されるカードを１枚ずつ繰り出すことができない状況が生じうる。したがって、カセットに積層されているカード同士が離れやすくなるように、カセットに収容される新品のカードの表面に離型剤等が塗布されることがある。また、カード発行装置には、カードに印字を行うプリンタが搭載されているものがあるが、プリンタが搭載されたカード発行装置のカセットに収容される新品のカードの表面には、カードの表面にインクが付着しやすいように、所定のコーティングが施される場合がある。
【０００６】
本願発明者の検討によると、カセットに収容される新品のカードの表面に塗布される離型剤等の種類やカードの表面に施されるコーティングの種類によっては、新品のカードを発行するときの、カードに磁気データを記録する際に、カードの表面の離型剤等やコーティングと磁気ヘッドとの間の摩擦抵抗が大きくなり、その結果、新品のカードの表面に接触した磁気ヘッドにびびり振動が生じて、磁気データを記録する際のジッタが悪化する場合があることが明らかになった。すなわち、カセットに収容される新品のカードの表面に塗布される離型剤等の種類やカードの表面に施されるコーティングの種類によって、磁気データの記録精度が低下することが明らかになった。
【０００７】
なお、本願発明者の検討によると、新品のカードの表面に離型剤等が塗布されていたり、コーティングが施されたりしていても、カード発行装置から発行されて使用された後のこのカードに対して同じように磁気データを記録した場合に、磁気ヘッドにびびり振動が発生することはなく、ジッタは悪化しないことが明らかになった。また、本願発明者の検討によると、磁気データが記録される磁気ストライプの表面に塗装が施されていて、表面上、磁気ストライプが見えないカードにおいてジッタが悪化する場合が発生しやすいことも明らかになった。
【０００８】
そこで、本発明の課題は、表面に離型剤等が塗布されたり、表面にコーティングが施されたりした新品のカードに磁気データを記録してカードを発行する場合であっても、磁気データの記録精度を確保することが可能なカード発行装置を提供することにある。
【課題を解決するための手段】
【０００９】
上記の課題を解決するため、本願発明者は、種々の検討を行った。その結果、カードの表面の、少なくとも磁気ストライプが形成された部分を平滑化したり、カードの表面の、少なくとも磁気ストライプが形成された部分に潤滑性を与えたりすることで、表面に離型剤等が塗布されたり、表面にコーティングが施されたりした新品のカードに磁気データを記録する際のジッタの悪化を防止して、磁気データの記録精度を確保することが可能になることを知見するに至った。
【００１０】
本発明のカード発行装置は、上記の新たな知見に基づくものであり、磁気ストライプが形成されたカードを発行するカード発行装置において、発行前のカードが積層されて収容されるカード収容部と、カード収容部から送り出されたカードに磁気データを記録するための磁気ヘッドを有するカードリーダと、カードを発行するときのカードの搬送経路におけるカード収容部と磁気ヘッドとの間に配置され、カードの発行時に、カードの表面の、少なくとも磁気ストライプが形成された部分に接触する接触部材とを備えるとともに、接触部材として、カードの表面を平滑にするための平滑化部材、および、カードの表面に潤滑性を与えるための潤滑剤が含まれる潤滑剤含有部材の少なくともいずれか一方を備えることを特徴とする。
【００１１】
また、本発明のカード発行装置は、上記の新たな知見に基づくものであり、磁気ストライプが形成されたカードを発行するカード発行装置において、発行前のカードが積層されて収容されるカード収容部と、カード収容部から送り出されたカードに磁気データを記録するための磁気ヘッドを有するカードリーダと、カードを発行するときのカードの搬送経路におけるカード収容部と磁気ヘッドとの間に配置され、カードの発行時に、カードの表面の、少なくとも磁気ストライプが形成された部分に接触する接触部材とを備え、接触部材は、カードの表面を平滑にする機能と、カードの表面に潤滑性を与える機能との少なくともいずれか１つの機能を備えていることを特徴とする。
【００１２】
本発明のカード発行装置は、カードを発行するときのカードの搬送経路におけるカード収容部と磁気ヘッドとの間に配置される接触部材を備えており、接触部材は、カードの発行時に、カードの表面の磁気ストライプが形成された部分に接触する。また、本発明のカード発行装置は、接触部材として、カードの表面を平滑にするための平滑化部材、および、カードの表面に潤滑性を与えるための潤滑剤が含まれる潤滑剤含有部材の少なくともいずれか一方を備えている。あるいは、本発明では、接触部材は、カードの表面を平滑にする機能と、カードの表面に潤滑性を与える機能との少なくともいずれか１つの機能を備えている。そのため、本発明では、カード収容部に収容されている新品のカードの表面に離型剤等が塗布されていたり、コーティングが施されていたりしても、磁気ヘッドによる磁気データの記録を行う前に、接触部材によって、カードの表面の離型剤等やコーティングをこすり取ったり、カードの表面の離型剤等やコーティングの凹凸をならしたりしてカードの表面を平滑にすることや、離型剤等やコーティングの表面に潤滑性を与えることが可能になる。したがって、本発明では、カードの表面と磁気ヘッドとの間の摩擦抵抗を軽減して、磁気データを記録する際の磁気ヘッドのびびり振動を抑制することが可能になる。その結果、本発明のカード発行装置では、表面に離型剤等が塗布されたり、表面にコーティングが施されたりした新品のカードに磁気データを記録してカードを発行する場合であっても、磁気データの記録精度を確保することが可能になる。
【００１３】
本発明において、カード発行装置は、接触部材をカードに向かって付勢する付勢部材を備えることが好ましい。また、本発明において、カード発行装置は、カードの厚さ方向において接触部材に対向配置されるとともに接触部材に向かって付勢されるパッドローラを備え、接触部材とパッドローラとの間をカードが通過することが好ましい。このように構成すると、カードと接触部材との接触圧を高めることが可能になる。したがって、接触部材によって、カードの表面の離型剤等やコーティングを効果的にこすり取ったり、カードの表面の離型剤等やコーティングの凹凸を効果的にならしたりしてカードの表面を効果的に平滑にすることや、離型剤等やコーティングの表面に効果的に潤滑性を与えることが可能になる。
【００１４】
本発明において、カードは、略長方形状に形成され、磁気ストライプは、略長方形状に形成されるカードの長手方向に沿う帯状に形成され、接触部材は、カードの厚さ方向とカードの長手方向とに直交するカードの短手方向において、磁気ストライプが通過する範囲に配置されていることが好ましい。このように構成すると、カードの表面の磁気ストライプが形成された部分に接触部材を接触させつつ、カードの表面の、接触部材が接触する範囲を必要最小限の範囲とすることが可能になる。したがって、接触部材がカードに接触することで、仮に、若干の傷がカードに生じるとしても、カードと接触部材との接触に起因するカードの傷の発生範囲を最小限に抑えることが可能になる。また、接触部材がカードに接触することで、カードの表面に潤滑剤が付着しても、カードと接触部材との接触に起因するカードの表面への潤滑剤の付着範囲を最小限に抑えることが可能になる。
【００１５】
本発明において、接触部材は、カードリーダに取り付けられていることが好ましい。このように構成すると、接触部材によって、カードの表面の離型剤等やコーティングをこすり取ったり、カードの表面の離型剤等やコーティングの凹凸をならしたりしてカードの表面を平滑にした直後や、離型剤等やコーティングの表面に潤滑性を与えた直後に、磁気ヘッドによって磁気データを記録することが可能になる。したがって、カードの表面と磁気ヘッドとの間の摩擦抵抗を効果的に軽減して、磁気データを記録する際の磁気ヘッドのびびり振動を効果的に抑制することが可能になる。
【発明の効果】
【００１６】
以上のように、本発明のカード発行装置では、表面に離型剤等が塗布されたり、表面にコーティングが施されたりした新品のカードに磁気データを記録してカードを発行する場合であっても、磁気データの記録精度を確保することが可能になる。
【図面の簡単な説明】
【００１７】
【図１】本発明の実施の形態にかかるカード発行装置の概略構成を説明するための平面図である。
【図２】図１に示すカードリーダの概略構成を説明するための側面図である。
【図３】図２に示すカードリーダの概略構成を説明するための平面図である。
【発明を実施するための形態】
【００１８】
以下、図面を参照しながら、本発明の実施の形態を説明する。
【００１９】
（カード発行装置の構成）
図１は、本発明の実施の形態にかかるカード発行装置１の概略構成を説明するための平面図である。図２は、図１に示すカードリーダ５の概略構成を説明するための側面図である。図３は、図２に示すカードリーダ５の概略構成を説明するための平面図である。
【００２０】
本形態のカード発行装置１は、所定の磁気データが記録された新品のカード２を発行するための装置である。このカード発行装置１は、発行前のカード２が積層されて収容されるカード収容部３と、カード２に印字を行うプリンタ４と、カード２に磁気データを記録するカードリーダ５と、カード収容部３からプリンタ４またはカードリーダ５へカード２を搬送するとともにプリンタ４とカードリーダ５との間でカード２を搬送するカード搬送部６とを備えている。以下の説明では、カード発行装置１の前後方向（図１等のＸ方向）を「前後方向」とし、カード発行装置１の左右方向（図１等のＹ方向）を「左右方向」とする。また、Ｘ１方向側を「前」側、Ｘ２方向側を「後（後ろ）側」、Ｙ１方向側を「右」側、Ｙ２方向側を「左」側とする。
【００２１】
カード搬送部６は、前後方向におけるカード発行装置１の略中心位置に配置されている。また、カード搬送部６は、左右方向におけるカード発行装置１の略全域に配置されている。カード収容部３およびプリンタ４は、カード搬送部６よりも後ろ側に配置されている。本形態のカード発行装置１は、２個のカード収容部３と１個のプリンタ４とを備えており、２個のカード収容部３と１個のプリンタ４とが左右方向で隣接するように配置されている。また、プリンタ４は、カード発行装置１の右端側に配置されている。カードリーダ５は、カード搬送部６よりも前側に配置されている。また、カードリーダ５は、カード発行装置１の右端側に配置されており、プリンタ４の前方に配置されている。カード発行装置１では、カードリーダ５の前面からカード２が発行される。
【００２２】
カード２は、厚さが０．７〜０．８ｍｍ程度の略長方形状の塩化ビニール製のカードである。カード２の一方の面には、磁気データが記録される磁気ストライプ２ａ（図３参照）が形成されている。磁気ストライプ２ａは、略長方形状に形成されるカード２の長手方向に沿う帯状に形成されている。なお、カード２には、ＩＣチップが内蔵されても良いし、通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２３】
本形態のカード発行装置１では、カード２の厚さ方向と上下方向とが一致し、カード２の長手方向と前後方向とが一致しかつカード２の短手方向と左右方向とが一致する状態でカード２がカード収容部３から送り出され、この状態のカード２に対して所定の処理が行われた後に、この状態のカード２が発行される。すなわち、本形態の上下方向はカード２の厚さ方向であり、前後方向はカード２の長手方向であり、左右方向はカード２の短手方向である。また、本形態では、磁気ストライプ２ａが形成される一方の面が上側を向いた状態のカード２がカード収容部３から送り出され、この状態のカード２に対して所定の処理が行われた後に、この状態のカード２が発行される。
【００２４】
カード収容部３は、上述した特許文献１に記載のカードスタック部と同様に、複数枚の新品のカード２が積層されて収容されるカセットと、このカセットが収容されるカセットホルダとを備えている。カセットホルダは、カード搬送部６に向かってカード２を送り出す送出機構を備えている。この送出機構は、カセットに収容された複数枚のカード２のうちの一番下のカード２に係合してこのカード２を送り出す送出爪を備えており、カード２の発行時には、カード収容部３から、カード２が１枚ずつ送り出される。
【００２５】
カード搬送部６は、上述した特許文献１に記載のカード搬送部と同様に、左右方向へ移動するキャリッジと、キャリッジに搭載されるカード引込排出機構とを備えている。カード引込排出機構は、駆動ローラとパッドローラとを備えており、キャリッジへのカード２の引込動作と、キャリッジからカード２の排出動作とを行う。プリンタ４は、インクリボンに塗布されたインクを熱転写方式でカード２に転写して印字するサーマルプリンタであり、サーマルヘッド、インクリボンの供給機構、インクリボンの巻取機構およびカード２の搬送機構等を備えている。
【００２６】
カードリーダ５は、カード２に磁気データを記録するための磁気ヘッド１０と、カード２を搬送する搬送ローラ１１およびパッドローラ１２とを備えている。カードリーダ５の内部には、カード２が搬送されるカード搬送路１３が形成されている。また、カードリーダ５の後端面には、カード２の表面に接触する接触部材１５と、上下方向において接触部材１５に対向配置されるパッドローラ１６とが取り付けられている。
【００２７】
磁気ヘッド１０は、そのギャップ部がカード搬送路１３に上側から臨むように配置されている。また、磁気ヘッド１０は、左右方向において、カード２の磁気ストライプ２ａが通過する位置に配置されている。搬送ローラ１１は、たとえば、カード搬送路１３に上側から臨むように配置されている。搬送ローラ１１には、ベルト、プーリおよび歯車列等からなる動力伝達機構を介してモータに連結されている。パッドローラ１２は、搬送ローラ１１に下側から対向配置されるとともに、搬送ローラ１１に向かって付勢されている。
【００２８】
接触部材１５は、カード２の表面に接触してカード２の表面を平滑にするための平滑化部材であり、たとえば、比較的軟らかい樹脂、ゴム、不織布またはスポンジ等によってブロック状に形成されている。あるいは、接触部材１５は、カード２の表面に潤滑性を与えるための潤滑剤が含まれる潤滑剤含有部材であり、たとえば、フッ素や所定の油脂が含まれる樹脂、不織布または多孔質材によってブロック状に形成されている。
【００２９】
接触部材１５は、上下方向において、カード搬送路１３よりも上側に配置されており、カード２の上面に接触する。接触部材１５が平滑化部材である場合には、接触部材１５とカード２との接触圧が過度に高くならないように、たとえば、接触部材１５の下面は、左右方向から見たときの形状が曲線状となり（図２参照）かつ前後方向から見たときの形状が直線状となる曲面状に形成されている。
【００３０】
また、接触部材１５は、カード２の上面の、少なくとも磁気ストライプ２ａが形成された部分に接触するように配置されている。本形態では、図３に示すように、左右方向における接触部材１５の幅は、磁気ストライプ２ａの幅よりも若干広くなっているか、または、磁気ストライプ２ａの幅と略等しくなっており、接触部材１５は、左右方向において磁気ストライプ２ａが通過する範囲に配置されている。すなわち、左右方向における接触部材１５の幅は、磁気ヘッド１０に形成される磁気ギャップの左右方向の幅と略等しくなっており、接触部材１５は、左右方向において、磁気ヘッド１０の磁気ギャップの位置と略同じ位置に配置されている。
【００３１】
接触部材１５は、付勢部材としての板バネ１７によって下側へ付勢されている。すなわち、接触部材１５は、板バネ１７によってカード２に向かって付勢されている。板バネ１７は、前後方向を回動の軸方向とする接触部材１５の回動が可能となるように、接触部材１５を保持している。そのため、接触部材１５の下端をカード２の上面に追従させることが可能となっている。
【００３２】
パッドローラ１６は、下側から接触部材１５に対向するように配置されている。このパッドローラ１６は、図示を省略する板バネ等の付勢部材によって上側に付勢されている。すなわち、パッドローラ１６は、接触部材１５に向かって付勢されている。具体的には、パッドローラ１６を回転可能に支持する固定軸、または、パッドローラ１６と一緒に回転する回転軸を支持する軸支持部材が付勢部材によって上側に向かって付勢されている。
【００３３】
以上のように構成されたカード発行装置１では、以下のようにして新品のカード２が発行される。すなわち、カード２の発行時には、まず、カード収容部３から１枚のカード２が送り出される。カード収容部３から送り出されたカード２は、カード搬送部６によってカードリーダ５まで搬送される。その後、カード２は、カードリーダ５の後面側からカードリーダ５に取り込まれてカード搬送路１３で搬送され、磁気ヘッド１０によって磁気データの記録が行われる。カード２がカードリーダ５に取り込まれる際には、図２に示すように、接触部材１５とパッドローラ１６との間をカード２が通過して、カード２の上面の磁気ストライプ２ａが形成された部分に接触部材１５が接触する。
【００３４】
また、磁気データが記録されたカード２は、カードリーダ５から後ろ側へ排出される。カードリーダ５から排出されたカード２は、カード搬送部６によって、プリンタ４に送り込まれてプリンタ４の前面側からプリンタ４に取り込まれ、カード２への印字が行われる。印字が終わった後のカード２は、プリンタ４から前側へ排出され、カード搬送部６によって、カードリーダ５の後面側からカードリーダ５に送り込まれる。カードリーダ５に送り込まれたカード２は、カードリーダ５のカード搬送路１３で搬送されて、カードリーダ５の前面から排出される。カードリーダ５の前面からカード２が排出されると、カード２の発行が完了する。なお、本形態では、カード２の発行時に、カード２の磁気データの記録が行われた後に、カード２への印字が行われているが、カード２の発行時に、カード２への印字が行われた後に、カード２の磁気データの記録が行われても良い。
【００３５】
（本形態の主な効果）
以上説明したように、本形態では、カードリーダ５の後端面に、カード２の表面に接触する接触部材１５が取り付けられている。すなわち、本形態のカード発行装置１は、カード２を発行するときのカード２の搬送経路において、カード収容部３と磁気ヘッド１０との間に配置される接触部材１５を備えており、接触部材１５は、カード２の発行時に、カード２の上面の磁気ストライプ２ａが形成された部分に接触する。また、本形態では、接触部材１５は、カード２の表面に接触してカード２の表面を平滑にするための平滑化部材であるか、あるいは、カード２の表面に潤滑性を与えるための潤滑剤が含まれる潤滑剤含有部材である。
【００３６】
そのため、本形態では、カード収容部３に収容されている新品のカード２の表面に離型剤等が塗布されていたり、コーティングが施されていたりしても、磁気ヘッド１０による磁気データの記録を行う前に、接触部材１５によって、カード２の表面（具体的には、カード２の磁気ストライプ２ａが形成された部分の上面）の離型剤等やコーティングをこすり取ったり、カード２の表面の離型剤等やコーティングの凹凸をならしたりしてカード２の表面を平滑化することや、離型剤等やコーティングの表面に潤滑性を与えることが可能になる。したがって、本形態では、カード２の上面と磁気ヘッド１０との間の摩擦抵抗を軽減して、磁気データを記録する際の磁気ヘッド１０のびびり振動を抑制することが可能になる。その結果、本形態のカード発行装置１では、表面に離型剤等が塗布されたり、表面にコーティングが施されたりした新品のカード２に磁気データを記録してカード２を発行する場合であっても、磁気データの記録精度を確保することが可能になる。
【００３７】
また、本形態では、カード２の上面と磁気ヘッド１０との間の摩擦抵抗を軽減することができるため、カード２の表面に塗布された離型剤等やカード２の表面に施されたコーティングが磁気ヘッド１０との接触で削れてカード２の上面に堆積するのを防止することが可能になる。したがって、本形態では、カード２の上面に堆積する削り屑に起因した磁気ヘッド１０のスペーシングロスの発生を防止することが可能になり、その結果、磁気データの記録精度を確保することが可能になる。
【００３８】
また、本形態では、接触部材１５がカードリーダ２の後端面に取り付けられているため、接触部材１５によって、カード２の表面の離型剤等やコーティングをこすり取ったり、カード２の表面の離型剤等やコーティングの凹凸をならしたりしてカード２の表面を平滑にした直後や、離型剤等やコーティングの表面に潤滑性を与えた直後に、磁気ヘッド１０によって磁気データを記録することが可能になる。したがって、本形態では、カード２の表面と磁気ヘッド１０との間の摩擦抵抗を効果的に軽減して、磁気データを記録する際の磁気ヘッド１０のびびり振動を効果的に抑制することが可能になる。
【００３９】
本形態では、接触部材１５は、板バネ１７によってカード２に向かって付勢されている。また、本形態では、パッドローラ１６が接触部材１５に向かって付勢されており、カード２は、接触部材１５とパッドローラ１６との間を通過する。そのため、本形態では、カード２と接触部材１５との接触圧を高めることが可能になる。したがって、本形態では、接触部材１５によって、カード２の表面の離型剤等やコーティングを効果的にこすり取ったり、カード２の表面の離型剤等やコーティングの凹凸を効果的にならしたりしてカード２の表面を効果的に平滑にすることや、離型剤等やコーティングの表面に効果的に潤滑性を与えることが可能になる。
【００４０】
本形態では、左右方向における接触部材１５の幅は、磁気ストライプ２ａの幅よりも若干広くなっているか、または、磁気ストライプ２ａの幅と略等しくなっており、接触部材１５は、左右方向において磁気ストライプ２ａが通過する範囲に配置されている。そのため、本形態では、カード２の表面の磁気ストライプ２ａが形成された部分に接触部材１５を接触させつつ、カード２の表面の、接触部材１５が接触する範囲を必要最小限の範囲とすることが可能になる。したがって、本形態では、接触部材１５がカード２に接触することで、仮に、若干の傷がカード２に生じるとしても、カード２と接触部材１５との接触に起因するカード２の傷の発生範囲を最小限に抑えることが可能になる。また、接触部材１５がカード２に接触することで、カード２の表面に潤滑剤が付着しても、カード２と接触部材１５との接触に起因するカード２の表面への潤滑剤の付着範囲を最小限に抑えることが可能になる。
【００４１】
（他の実施の形態）
上述した形態は、本発明の好適な形態の一例ではあるが、これに限定されるものではなく本発明の要旨を変更しない範囲において種々変形実施が可能である。
【００４２】
上述した形態では、接触部材１５は、平滑化部材であるか、あるいは、潤滑剤含有部材である。この他にもたとえば、接触部材１５として、平滑化部材と潤滑剤含有部材との両方がカードリーダ５の後端面に取り付けられても良い。この場合には、平滑化部材が潤滑剤含有部材よりも後ろ側に配置され、カード２の発行時には、平滑化部材によって、カード２の表面の離型剤等やコーティングがこすり取られたり、カード２の表面の離型剤等やコーティングの凹凸がならされたりしてカード２の表面が平滑化された後に、潤滑剤含有部材によって、離型剤等やコーティングの表面に潤滑性が与えられる。また、接触部材１５は、カード２の表面に接触してカード２の表面を平滑にする機能と、カード２の表面に潤滑性を与える機能とを兼ね備えた部材であっても良い。
【００４３】
上述した形態では、接触部材１５は、カードリーダ５の後端面に取り付けられている。この他にもたとえば、カードリーダ５の内部の、磁気ヘッド１０よりも後ろ側に、接触部材１５が取り付けられても良い。また、カード収容部３のカセットホルダの、カード２が送り出される部分や、カード搬送部６のカード２が通過する部分に接触部材１５が取り付けられても良い。すなわち、カード２を発行するときのカード２の搬送経路においてカード収容部３と磁気ヘッド１０との間に接触部材１５が配置されるのであれば、接触部材１５はいずれの位置に配置されても良い。
【００４４】
上述した形態では、左右方向における接触部材１５の幅は、磁気ストライプ２ａの幅よりも若干広くなっているか、または、磁気ストライプ２ａの幅と略等しくなっている。この他にもたとえば、左右方向における接触部材１５の幅は、カード２の短手方向の幅と略等しくなっていても良いし、カード２の短手方向の幅の半分程度等になっていても良い。また、上述した形態では、接触部材１５にパッドローラ１６が対向配置されているが、樹脂等で形成されるガイド部材が接触部材１５に対向配置されても良い。また、上述した形態では、接触部材１５は、板バネ１７によって下側へ付勢されているが、接触部材１５は、圧縮コイルバネや引張りコイルバネ等の他のバネ部材によって下側へ付勢されても良い。
【００４５】
上述した形態では、カード２の一方の面に磁気ストライプ２ａが形成されており、接触部材１５は、カード２の一方の面に接触するように、カード搬送路１３よりも上側に配置されている。この他にもたとえば、カード２の両方の面に磁気ストライプが形成される場合には、カード２の両方の面のそれぞれに接触するように、カード搬送路１３よりも上側および下側の両方に接触部材１５が配置されても良い。
【符号の説明】
【００４６】
１  カード発行装置
２  カード
２ａ  磁気ストライプ
３  カード収容部
５  カードリーダ
１０  磁気ヘッド
１５  接触部材
１６  パッドローラ
１７  板バネ（付勢部材）
Ｘ  カードの長手方向
Ｙ  カードの短手方向
【図１】
2015149033.tif 000003
【図２】
2015149033.tif 000004
【図３】
2015149033.tif 000005